(57)【特許請求の範囲】
【請求項１】
基板内の伝送線路ビア構造であって、
前記基板を通るビア内に、その長手軸に沿って積層された複数のサブ構造を備え、前記サブ構造の各々は、
前記長手軸に沿って延びる中心導体部と、
前記中心導体部の周りに配置される外側導体部と、
前記外側導体部と前記中心導体部とを分離し、前記外側導体部と前記中心導体部との間に非固体容積の少なくとも１つの境界を規定する少なくとも１つの誘電体支持部材とを含み、前記伝送線路ビア構造はさらに、
外側導体および中心導体を形成するために、前記複数のサブ構造のうちの連続するものの前記外側導体部および前記中心導体部の間に配置される導電ペーストを備える、伝送線路ビア構造。
【請求項２】
前記少なくとも１つの誘電体支持部材によって占有されない前記非固体容積の一部は、空気によって占有される、請求項１に記載の伝送線路ビア構造。
【請求項３】
前記少なくとも１つの誘電体支持部材の各々は、誘電体材料のディスクを備え、前記誘電体材料のディスクは、そこを通る複数のボアを有する、請求項１または２に記載の伝送線路ビア構造。
【請求項４】
前記少なくとも１つの誘電体支持部材の各々について、前記外側導体部に接触する前記ディスクのエッジは、前記ディスクの内側部分よりも厚い、請求項３に記載の伝送線路ビア構造。
【請求項５】
前記基板内の前記ビアは、前記複数のサブ構造を囲む導体でメッキされている、請求項１から４のいずれか１項に記載の伝送線路ビア構造。
【請求項６】
前記中心導体の長さと前記中心導体の直径との間の比は、３０：１よりも大きい、請求項１〜５のいずれか１項に記載の伝送線路ビア構造。
【請求項７】
前記中心導体および前記外側導体は、前記基板の少なくとも１つの表面上の少なくとも１つの伝送線路に結合される、請求項１〜６のいずれか１項に記載の伝送線路ビア構造。
【請求項８】
基板内の伝送線路ビア構造を形成する方法であって、
前記基板内に長手軸に沿ってその頂部表面と底部表面との間に延びるビアを形成することと、
複数のサブ構造を形成することを備え、前記複数のサブ構造の各々は、誘電体支持部材によって中心導体部から分離される外側導体部を含み、かつ前記誘電体支持部材間に犠牲材料を含み、前記方法はさらに、
外側導体および中心導体を形成するために、前記複数のサブ構造のうちの連続するものの前記外側導体部および前記中心導体部の間に、導電ペーストで前記ビア内に前記複数のサブ構造を積層することと、
前記犠牲材料を前記複数のサブ構造の各々から除去することと、を備え、前記誘電体支持部材は前記中心導体部と前記外側導体部との間に非固体容積の境界を規定する、方法。
【請求項９】
前記誘電体支持部材は、そこを通るボアを有し、前記犠牲材料は、前記ボアを通して除去される、請求項８に記載の方法。
【請求項１０】
誘電体支持部材によって占有されない前記非固体容積の一部は、空気によって占有される、請求項８または９に記載の方法。
【請求項１１】
前記犠牲材料は、前記積層するステップの前に前記複数のサブ構造の各々から除去される、請求項８〜１０のいずれか１項に記載の方法。
【請求項１２】
前記犠牲材料は、前記積層するステップの後に前記複数のサブ構造の各々から除去される、請求項８〜１０のいずれか１項に記載の方法。
【請求項１３】
前記中心導体の長さと直径との間の比は３０：１よりも大きい、請求項８〜１２のいずれか１項に記載の方法。
【請求項１４】
前記複数のサブ構造の挿入の前に前記ビアをメッキすることをさらに備える、請求項８〜１３のいずれか１項に記載の方法。
【発明の詳細な説明】
【技術分野】
【０００１】
技術分野
本開示は一般に半導体デバイスおよびプロセスに関し、特に、半導体デバイス内の伝送線路ビア構造に関する。
【背景技術】
【０００２】
背景
いくつかの電子デバイスは、それらの波特性が考慮されなければならず、プリント回路基板（ＰＣＢ）上の線路の長さまたは配線の長さが無視できない、十分に高い周波数を有する信号を用いる。そのように高い周波数の信号を伝播するために、ＰＣＢは伝送線路トレースを電子部品間に含む。伝送線路トレースをＰＣＢの１つの側から別の側へと導くために、伝送線路ビアは、伝送線路と一致するインピーダンスを有することが必要である。１つの種類の伝送線路ビアは、中心信号導体をその間の固体誘電体で囲む外側グランド導体を有する同軸のビアである。
【発明の概要】
【課題を解決するための手段】
【０００３】
概要
１つの例では、基板内の伝送線路ビア構造が、説明される。伝送線路ビア構造は、基板を通るビア内に、その長手軸に沿って積層された複数のサブ構造を含む。サブ構造の各々は中心導体部、外側導体部、および少なくとも１つの誘電体支持部材を含む。中心導体部は、長手軸に沿って延びる。外側導体部は、中心導体部の周りに配置される。誘電体支持部材（複数可）は、外側導体部および中心導体部を分離し、非固体容積を外側導体部と中心導体部との間に提供する。導電ペーストは、外側導体および中心導体を形成するために、複数のサブ構造のうちの連続するものの中心導体部および外側導体部の間に配置される。
【０００４】
別の例では、基板内の伝送線路構造を形成する方法は、基板内にその長手軸に沿って基板の頂部表面と底部表面との間に延びるビアを形成することを含む。外側導体は、ビアの壁に形成される。誘電体構造は、ビア内に確立される。誘電体構造は、その間に犠牲材料を有する、長手軸に沿って配置される誘電体支持部材を含む。中心ビアは、誘電体構造内に形成される。中心導体は、中心ビア内に形成される。犠牲材料は、非固体容積を中心導体と外側導体との間に提供する、誘電体構造から除去される。
【０００５】
別の例では、基板内の伝送線路構造を形成する方法は、基板内にその長手軸に沿って基板の頂部表面と底部表面との間を延びるビアを形成することを含む。複数のサブ構造が形成され、複数のサブ構造の各々は、誘電体支持部材によって中心導体部から分離される外側導体部を含み、かつ犠牲材料を誘電体支持部材間に含む。複数のサブ構造は、外側導体および中心導体を形成するために、複数のサブ構造のうちの連続するものの外側導体部および中心導体部の間に導電ペーストでビア内に積層される。犠牲材料は、中心導体部と外側導体部との間に非固体容積を提供する複数のサブ構造の各々から除去される。
【０００６】
図面の簡単な説明
上記の構造および方法が詳細に理解されることができるように、より具体的な説明が具体例を参照することによって行われ、そのいくつかは、添付された図面に図示されるだろう。しかし、留意すべきは、添付された図面は、純粋に本質的に例示的であり、そのためその特許請求の範囲を限定するものではなく、発明は他の均等に有効な実施形態を認めうる。
【図面の簡単な説明】
【０００７】
【図１】電子デバイスの断面図である。
【図２Ａ】伝送線路ビアを有するＰＣＢの一部を示す。
【図２Ｂ】伝送線路ビアを有するＰＣＢの一部を示す。
【図３Ａ】誘電体支持部材を示す。
【図３Ｂ】誘電体支持部材を示す。
【図４Ａ】伝送線路ビアを有するＰＣＢの一部を示す。
【図４Ｂ】伝送線路ビアを有するＰＣＢの一部を示す。
【図５】基板内の伝送線路ビアを形成する方法を示すフロー図である。
【図６Ａ】図５に示された方法の異なるステップの後の基板の断面図である。
【図６Ｂ】図５に示された方法の異なるステップの後の基板の断面図である。
【図６Ｃ】図５に示された方法の異なるステップの後の基板の断面図である。
【図７】図５に示された方法の誘電体構造を形成するステップの別の例の基板の断面図である。
【図８】基板内の伝送線路ビアを形成する方法を示すフロー図である。
【図９】図８に示された方法のステップの後の基板の断面図である。
【発明を実施するための形態】
【０００８】
理解を容易にするために、可能な場合、図において共通する同じ要素に割り当てるために、同じ参照符号が使用される。１つの例の要素は、便利には他の実施形態に組み込まれてもよい。
【０００９】
詳細な説明
伝送線路ビア構造が、説明される。１つの例では、プリント回路基板（ＰＣＢ）といった基板内に、同軸のビア構造が形成される。同軸のビア構造は、中心導体の周りに配置される外側導体を含む。１つまたは複数の誘電体支持部材は、ビア内に、中心導体を支持し、かつ、中心導体を外側導体から分離するために配置される。いずれの固体材料も、誘電体支持部材間にビアの長手軸に沿って配置されない。むしろ、誘電体支持部材間の容積は、空気で充填される。誘電体支持部材は、誘電体構造が実質的に空気であるように作られることができる。実質的に空気ベースの誘電体を使用することは、固体誘電体伝送線路ビアと比べて削減された大きさのビアを可能とする。これは、ＰＣＢの経路形成を向上させＰＣＢの面積を浪費させないことができる。
【００１０】
１つの例では、第１に同軸のサブ構造を形成することによって、高いアスペクト比のビアが形成されることができる。各サブ構造は、中心導体部の周りに外側導体部を含む。誘電体支持部材（複数可）は、中心導体を支持する。サブ構造は、外側導体部および中心導体部を電気的に結合し、サブ構造を互いに機械的に固定する導電ペーストでビア内に積層されることができる。３０：１より大きい長さ対直径比を有する中心導体を有するビアが、作成されることができる。
【００１１】
ここで説明されるいくつかの例では、実質的に空気を備える誘電体構造は、誘電体支持部材および犠牲材料を交互に積層することによって形成されることができる。誘電体支持部材は、そこを通って犠牲材料が除去されることができるボアを含むことができる。犠牲材料が除去された後、残される容積は、空気で充填される。
【００１２】
図１は、１つの例示的実施形態に従う電子デバイス１００の断面図である。電子デバイス１００は、プリント回路基板（ＰＣＢ）等といった基板１０２を含む。ＰＣＢ１０２は、ＰＣＢ１０２の頂部表面１１０および底部表面１１２の間を延在する伝送線路ビア１０４を含む。伝送線路ビア１０４は、伝送線路（複数可）１０６に頂部および底部表面１１０および１１２のいずれかまたは両方で結合されることができる（たとえば４つの伝送線路１０６が示される）。伝送線路（複数可）１０６は、ＰＣＢ１０２に実装されるさまざまな電子部品１０８に結合されることができる（たとえば２つの電子部品１０８が示される）。１つの例では、伝送線路（複数可）１０６は、５０オーム伝送線路を備え、伝送線路ビア１０４は、伝送線路１０６への接続における不連続を最小化するために５０オーム伝送線路の近傍に調整される。
【００１３】
ここに説明されるさまざまな例では、伝送線路ビア１０４は、グランドと信号導体との間に非固体誘電体構造を有する同軸のビアを備える。非固体誘電体構造は、信号導体を支持し、かつ信号導体をグランド導体から分離する誘電体支持構造を含むことができる。支持構造間の容積は、空気によって占有されることができる。誘電体支持構造は、グランドと信号導体との間の誘電体が、実質的に空気誘電体となるように最小化されることができる。空気を誘電体として用いることで、伝送線路ビア１０４の全体的な大きさは、固体誘電体を有するビアに比べて削減されることができる。削減された大きさのビアは、改善された経路形成およびＰＣＢ１０２上の削減された面積を提供することができる。
【００１４】
図２Ａおよび２Ｂは、１つの例示的実施形態に従う伝送線路ビア２０１を有するＰＣＢの部分２０２を示す。図２Ａは、ＰＣＢ部分２０２の上面図を示し、同時に図２Ｂは、２Ｂ−２Ｂ線に沿った断面図を示す。図２Ａおよび２Ｂを同時に参照して、伝送線路ビア２０１は、中心導体２０６の周りに外側導体２０４を含む。中心導体２０６は、ＰＣＢ部分２０２の頂部と底部表面２１６および２１８との間を、伝送線路ビア２０１の長手軸に沿って延在する。複数の誘電体支持部材２１０は、中心導体２０６をビア内で支持し、かつ、外側導体２０４から中心導体２０６を分離するために、ビア２０１内に配置される。誘電体支持部材２１０の各々の間の容積２１４は、空気を含む。このため、中心導体２０６と外側導体２０４との間の誘電体は、誘電体支持部材２１０および空気を備える非固体誘電体である。誘電体支持部材２１０は、その中に複数のボア２１２を含むことができる。以下に説明されるように、ボア２１２は、容積２１４を誘電体支持部材２１０間に形成するために、犠牲材料をビア２０１の製造中に除去するために使用されることができる。以下に説明されるように、導電性接続パッド２０８は、中心導体２０６に結合されるＰＣＢ部分２０２上に形成されることができ、または中心導体２０６を形成する部分に形成されることができる。
【００１５】
図３Ａおよび３Ｂは、１つの例示的実施形態に従う誘電体支持部材２１０を示す。図３Ａは誘電体支持部２１０の上面図を示し、図３Ｂは側面図を示す。図３Ａおよび３Ｂを同時に参照して、誘電体支持部材２１０は、プラスチック（たとえば、アクリロニトリルブタジエンスチレン（ＡＢＳ）、ポリエチレン等）、ポリイミド（たとえば、ＫＡＰＴＯＮ等の材料）などの誘電体材料のシリンダまたはディスクを備える。誘電体支持部２１０は、伝送線路ビアの中心導体がそこを通る中央ボア３０２を含む。誘電体支持部２１０は、中央ボア３０２の周りに複数のボア２１２をさらに含む。ここで説明されるように、ボア２１２は、犠牲材料を製造中に除去するために使用されることができる。１つの例では、誘電体支持部材２１０のエッジ３０４は、誘電体支持部材２１０の内側部分よりも厚い。たとえば、エッジ３０４は、支持部材２１０の頂部および／または底部上にリブを含むことができる。エッジ３０４は、誘電体支持部材２１０を伝送線路ビア内に取り付けることを容易にする。
【００１６】
図４Ａおよび４Ｂは、１つの例示的実施形態に従う伝送線路ビア４０１を有するＰＣＢの部分４０２を示す。図４Ａは、伝送線路ビア４０１の上面図を示し、図４Ｂは、４Ｂ−４Ｂ線に沿った断面図を示す。図２Ａおよび２Ｂの要素と同じまたは同様である図４Ａおよび４Ｂの要素には、同じ参照符号が付される。図４Ａおよび４Ｂを同時に参照して、伝送線路ビア４０１は、ビア４０１内にその長手軸に沿って積層された複数のサブ構造４０６を含む。サブ構造４０６の各々は、ビア４０１の長手軸に沿って延びる中心導体部４１０と、中心導体部４１０の周りに配置される外側導体部４１２とを含む。サブ構造４０６の各々は、中心導体部４１０を支持し、かつ、中心導体部４１０を外側導体部４１２から分離する少なくとも１つの誘電体支持部材２１０を含む。誘電体支持部材２１０は、上述のように構成されることができる。
【００１７】
伝送線路ビア４０１は、サブ構造４０６のうちの連続するものの中心および外側導体部４１０および４１２の間に配置される導電ペーストまたは接着剤（ここでは、導電ペースト４０８とも称される）をさらに含む。このやり方では、外側導体部４１０は外側導体を形成するために電気的に結合し、内側導体部４１２は、内側導体を形成するために電気的に結合する。１つの例では、ビア４０１は外側導体部４１０の周りに形成されるさらなる外側導体４１４を含むことができる。上述のように、容積２１４は、誘電体支持部材２１０間に空気を含む。ビア４０１をサブ構造４０６から形成することによって、高いアスペクト比のビアが形成されることができる。中心導体の直径に対するその長さの比は、３０：１よりも大きくされることができる。
【００１８】
図５は、１つの例示的実施形態に従う、基板内の伝送線路ビアを形成する方法５００のフロー図を示す。方法５００は、図２Ａ〜Ｂ、６Ａ〜６Ｃ、および７を参照し、以下に説明されるように理解されることができる。方法５００は、上述のように図２Ａ〜Ｂに示される伝送線路ビア２０１を形成するために使用されることができる。方法５００は、ステップ５０２で始まり、そこではビアは、頂部と底部表面との間にその長手軸に沿って延在する基板内に形成される。たとえば、穴は、レーザードリルまたは半導体／電子デバイス製造プロセスで使用される同様の種類のドリルを使用して基板を貫通して掘削されることができる。ステップ５０４では、外側導体は、ビアの壁部上に形成される。たとえば、導電材料はビアの側壁部上に電気メッキされることができる。導電材料は銅、アルミニウム、金などのような種類の金属またはそのような金属の任意の合金を含むことができる。図６Ａは、ビア６０１およびビア６０１の壁に形成される外側導体２０４を有する基板（たとえば図２Ａおよび２Ｂに示されたＰＣＢ部分２０２）の断面図を示す。
【００１９】
ステップ５０６では、誘電体構造は、誘電体支持部材および犠牲材料を有するビア内に確立される。図６Ｂは、誘電体支持部材２１０およびそれらの間の犠牲材料６０２を有する誘電体構造を有する基板（たとえばＰＣＢ部分２０２）の断面図を示す。１つの例では、誘電体支持部材２１０は、伝送線路ビアから分離して形成されることができる。たとえば、誘電体支持部材２１０は、３Ｄプリンタ、射出成形等といった、プラスチック部品を形成するための任意の技術を使用して形成されることができる。誘電体構造は、誘電体支持部材２１０を挿入し、犠牲材料６０２を堆積し、別の誘電体支持部材２１０を挿入し、犠牲材料６０２の別の層を堆積するなどによって、所定の場所に形成されることができる。犠牲材料６０２は、水溶性ポリマーといった誘電体材料を含むことができる。水溶性ポリマーの非限定的例は、ポリ（アクリル酸）（ＰＡＡ）である。犠牲材料６０２は、誘電体支持部材２１０を除去しまたは損傷することなく、それが除去されることができるように選択される。
【００２０】
ステップ５０８では、中心ビアは、誘電体構造内に形成される。たとえば、穴は、誘電体構造を貫通して掘削されることができる。１つの例では、誘電体支持部材２１０は、中心ボアを有して形成されることができ、犠牲材料６０２のみが、中心ビアを形成するために掘削される。代替的に、犠牲材料６０２および誘電体支持部材２１０の両方は、中心ビアを形成するために掘削される。ステップ５１０では、中心導体は、中心ビア内に形成される。たとえば、導電材料は、中心ビアの側壁部上に電気メッキされることができる。ステップ５１２では、犠牲材料は、誘電体構造から除去される。たとえば、犠牲材料は、エッチング液にさらされて誘電体支持部材内のボアから排出されることができる。図６Ｃは、中心ビア内の中心導体２０６を有する基板（たとえばＰＣＢ部分２０２）の断面図を示す。犠牲材料６０２は、ボア２１２を通して除去されており、空気の容積が誘電体支持部材２１０間に残されている。
【００２１】
図７は、別の実施例に従う基板（たとえばＰＣＢ部分２０２）の断面図を示す。ステップ５０６では、誘電体構造を図６Ｂに示されるように所定の場所に形成する代わりに、誘電体構造は、ビアから分離して形成され、そしてビアに挿入されることができる。
【００２２】
図８は、別の実施例に従う基板内の伝送線路ビアを形成する方法８００のフロー図を示す。方法８００は、図４Ａ〜Ｂおよび９を参照して以下に説明されるように理解されることができる。方法８００は、上述されるように図４Ａ〜Ｂに示される伝送線路ビア４０１を形成するために使用されることができる。方法８００は、ステップ８０２で始まり、そこではビアは、基板内に形成される。たとえば、穴は基板内に掘削されることができる。ステップ８０４では、外側導体は、ビアの壁部上に形成されることができる。代替的に、ステップ８０４は、省略されることができる。ステップ８０６では、誘電体支持部材によって中心導体部から分離される外側導体部を有するサブ構造が形成される。サブ構造は、犠牲材料を誘電体支持部材間に含む。図９は、サブ構造４０６がビア４０１に挿入されるときの基板（たとえばＰＣＢ基板４０２）の断面図を示す。
【００２３】
ステップ８０８では、犠牲材料は、サブ構造から除去される。１つの例では、犠牲材料は、サブ構造をビアに挿入する前に除去されることができる。別の例では、ステップ８０８は、省略されることができ、犠牲材料を次のステップまで所定の場所に残す。ステップ８１０では、サブ構造は、結合した外側および中心導体を形成するために、外側と中心導体部との間に導電ペーストを有するビア内に積層される。ステップ８１２では、いずれかの犠牲材料が残っている場合、犠牲材料は除去されることができる。たとえば、上述のように、犠牲材料は誘電体支持部材内のボアを通して、除去されることができる。
【００２４】
例示的な基板内の伝送線路ビア構造が説明された。構造は、その長手軸に沿って基板を通るビア内に積層された複数のサブ構造を備え、外側導体および中心導体を形成するために、導電ペーストは複数のサブ構造のうちの連続するものの中心および外側導体部の間に配置される。サブ構造の各々は、長手軸に沿って延びる中心導体部と、中心導体部の周りに配置される外側導体部と、外側導体部および中心導体部を分離し、非固体容積を外側導体部および中心導体部の間に提供する少なくとも１つの誘電体支持部材を含む。
【００２５】
そのような伝送線路ビア構造では、以下の１つまたは複数が適用されてもよい。 少なくとも１つの誘電体支持部材によって占有されない非固体容積の一部は、空気によって占有されてもよい。少なくとも１つの誘電体支持部材の各々は、そこを通る複数のボアを有する誘電体材料のディスクを備えてもよい。少なくとも１つの誘電体支持部材の各々に対して、外側導体部に接触するディスクのエッジはディスクの内側部分よりも厚くてもよい。基板内のビアは、複数のサブ構造を囲む導体でメッキされてもよい。中心導体の長さと中心導体の直径との間の比は、３０：１より大きくてもよい。中心および外側導体は、基板の少なくとも１つの表面上の少なくとも１つの伝送線路に結合されてもよい。
【００２６】
基板内の伝送線路ビア構造を形成する例示的な方法が説明された。方法は、その長手軸に沿って頂部および底部表面の間に延在する基板内のビアを形成することと、複数のサブ構造を形成することを備え、複数のサブ構造の各々は、誘電体支持部材によって中心導体部から分離される外側導体部を含み、かつ犠牲材料を誘電体支持部材間に含み、方法はさらに、外側導体および中心導体を形成するために、複数のサブ構造を、複数のサブ構造のうちの連続するものの外側と中心導体部との間に導電ペーストでビア内に積層することと、犠牲材料を複数のサブ構造の各々から除去し、非固体容積を中心導体部と外側導体部との間に提供することとを備える。
【００２７】
そのような方法では、以下の１つまたは複数が適用されてもよい。誘電体支持部材は、そこを通るボアを有してもよく、犠牲材料は、ボアを通して除去されてもよい。誘電体支持部材によって占有されない非固体容積の一部は、空気によって占有されてもよい。犠牲材料は、複数のサブ構造の各々から、積層するステップの前に除去されてもよい。犠牲材料は、複数のサブ構造の各々から、積層するステップの後に除去されてもよい。中心導体の長さおよび直径の間の比は、３０：１よりも大きくてもよい。方法は、複数のサブ構造の挿入の前にビアをメッキすることをさらに備えてもよい。
【００２８】
基板内の伝送線路ビア構造を形成する別の例示的な方法は、その長手軸に沿って頂部と底部表面との間に延在する基板内のビアを形成することと、外側導体をビアの壁部上に形成することと、誘電体構造をビア内に確立することとを備え、誘電体構造は、その間に犠牲材料を有する長手軸に沿って配置される誘電体支持部材を含み、方法はさらに、中心ビアを誘電体構造内に形成することと、中心導体を中心ビア内に形成することと、犠牲材料を誘電体構造から除去し、非固体容積を中心導体と外側導体との間に提供することと、を備える。
【００２９】
そのような方法では、以下の１つまたは複数が適用されてもよい。誘電体支持部材は、そこを通るボアを有してもよく、犠牲材料は、ボアを通して除去されてもよい。誘電体支持部材によって占有されない非固体容積の一部は、空気によって占有されてもよい。確立することは、誘電体構造を基板とは別に形成し、誘電体構造をビアに挿入することを備えてもよい。確立することは、誘電体構造を基板内の所定の場所に形成することを備えてもよい。中心導体の長さと直径との間の比は、３０：１より大きくてもよい。
【００３０】
上記は、例示的な構造および方法に向けられているが、他のおよびさらなる実施形態は、以下の特許請求の範囲によって決定されるその基本的な範囲から逸脱することなく考案されることができる。
【図１】
0006367479.tif 000002
【図２Ａ】
0006367479.tif 000003
【図２Ｂ】
0006367479.tif 000004
【図３Ａ】
0006367479.tif 000005
【図３Ｂ】
0006367479.tif 000006
【図４Ａ】
0006367479.tif 000007
【図４Ｂ】
0006367479.tif 000008
【図５】
0006367479.tif 000009
【図６Ａ】
0006367479.tif 000010
【図６Ｂ】
0006367479.tif 000011
【図６Ｃ】
0006367479.tif 000012
【図７】
0006367479.tif 000013
【図８】
0006367479.tif 000014
【図９】
0006367479.tif 000015